(57)【要約】【課題】録画，再生動作時に発生する録画再生機構部の振動の伝播を軽減除去できるカメラ一体型ＶＴＲを提供する。【解決手段】上扉９は、常時、録画再生機構部７と非接触になるように構成し、下扉１０は、開閉時は録画再生機構部７と接触して連動させるが、扉閉完了時には本体部２に接触して閉り状態になり、録画再生機構部７はさらに中に入ったところで動作を終了するように構成しているため、扉閉完了時には録画再生機構部７と非接触の状態にすることができる。【選択図】図２
2008004220.tif 000002
【特許請求の範囲】
【請求項１】
カセット扉を開閉してカセット本体を脱着するカメラ一体型ＶＴＲにおいて、
カセットを水平方向に挿入、配置して録画、再生する録画再生機構部と、
前記録画再生機構部を保護すると共に、カセットの脱着の際に開閉する略水平方向に２分割されたカセット扉を備え、
前記カセット扉は、上方に位置する第１の扉と下方に位置する第２の扉からなり、開閉時には、前記第２の扉は録画再生機構部に接触した状態で前記録画再生機構部と共に可動し、扉閉完了時には前記第２の扉は前記録画再生機構部とは非接触になることを特徴としたカメラ一体型ＶＴＲ。
【請求項２】
前記第２の扉は、閉じ方向に復帰力を持つことを特徴とした請求項１記載のカメラ一体型ＶＴＲ。
【請求項３】
前記第２の扉は、可逆的に直線移動可能であるスライド扉であることを特徴とした請求項１記載のカメラ一体型ＶＴＲ。
【請求項４】
前記第２の扉は、可逆的に回動可能である回転扉であることを特徴とした請求項１記載のカメラ一体型ＶＴＲ。
【発明の詳細な説明】
【技術分野】
【０００１】
本発明は、撮影レンズ群とファインダ等を有する光学機構部と、カセットを水平方向に挿入、配置して録画、再生する録画再生機構部と、該録画再生機構部を保護すると共に、カセットの脱着の際に開閉する略水平方向に２分割されたカセット扉を備えたカメラ一体型ＶＴＲに関するものである。
【０００２】
本発明は、カメラ一体型ＶＴＲに関し、より詳細には、カセット扉が扉閉完了時には録画再生機構部と非接触の状態になることにより、録画，再生動作時に発生する録画再生機構部の振動の伝播を軽減除去する技術に関する。
【背景技術】
【０００３】
従来のカメラ一体型ＶＴＲは、撮影レンズ群、ＣＣＤ撮像素子及びファインダ等を有する光学機構部と、カセコン本体及び開閉動作するカセコン蓋を有する録画再生機構部とを備え、本体部のカセコン本体に録画再生機構部を配置させ、可動部のカセコン蓋に光学機構部を配置させ、カセコン本体の底面に回路基板を配して、小型化を達成している。（例えば、特許文献１参照。）
図７において、１はカメラ一体型ＶＴＲ、２は本体部、３はカセコン本体、４は可動部、５はカセコン蓋、６は回路基板、７は録画再生機構部、８は光学機構部である。
【特許文献１】特開平６−２９０５７７号公報（第１−４頁、第４図）
【発明の開示】
【発明が解決しようとする課題】
【０００４】
しかしながら、前記従来の構成では、録画再生機構部がカセコン蓋により可動部と常時接触している状態にあるので、録画，再生動作時に発生する録画再生機構部の振動がカセコン蓋から可動部に伝わり、操作者に不快感を与え、さらにはマイク部に伝わり、雑音として記録されてしまうという課題を有していた。
【０００５】
本発明は、前記従来の課題を解決するもので、録画，再生動作時に発生する録画再生機構部の振動の伝播を軽減除去したカメラ一体型ＶＴＲを提供することを目的とする。
【課題を解決するための手段】
【０００６】
前記従来の課題を解決するために、本発明のカメラ一体型ＶＴＲは、カセットを水平方向に挿入、配置して録画、再生する録画再生機構部と、前記録画再生機構部を保護すると共に、カセットの脱着の際に開閉する略水平方向に２分割されたカセット扉を備え、前記カセット扉は、上方に位置する第１の扉と下方に位置する第２の扉からなり、前記第２の扉は、開閉時には録画再生機構部に接触した状態で前記録画再生機構部と共に可動し、扉閉完了時には前記第２の扉は前記録画再生機構部とは非接触になることを特徴としたものである。
さらに、前記第２の扉は、閉じ方向に復帰力を持つことを特徴としたものである。
さらに、前記第２の扉は、可逆的に直線移動可能であるスライド扉であることを特徴としたものである。
【０００７】
さらに、前記第２の扉は、可逆的に回動可能である回転扉であることを特徴としたものである。
【発明の効果】
【０００８】
本発明のカメラ一体型ＶＴＲによれば、回転中心軸を持ち定められた所定の位置から可逆的に回転移動可能である回転扉から成る上方に位置する扉が、録画再生機構部と常時非接触に構成され、前記回転扉の回転中心軸とは直角方向且つ前記所定の位置に隣接する位置から可逆的に直線移動可能であるスライド扉から成る下方に位置する扉、もしくは、前記上方に位置する扉とは異なる回転中心軸を持ち、前記所定の位置に隣接する位置から前記上方に位置する扉とは逆方向に可逆的に回転移動可能である回転扉から成る下方に位置する扉が、録画再生機構部と常時接触しているのではなく、扉開閉時には録画再生機構部と接触したまま連動して動作するが、扉閉完了時には録画再生機構部と非接触の状態になるように構成されているので、録画，再生動作時に発生する録画再生機構部の振動の伝播を軽減除去でき、操作者に対する不快感を解消し、さらには雑音として記録されてしまうという課題を解消することができる。
【発明を実施するための最良の形態】
【０００９】
以下に、本発明のカメラ一体型ＶＴＲの実施の形態を図面とともに詳細に説明する。
【実施例１】
【００１０】
図１は、本発明の実施例１におけるカメラ一体型ＶＴＲのカセット扉の閉じ状態における要部斜視図を示し、図２ないし図３は、それぞれ同カセット扉の開，閉状態における要部断面図を示す。図４は、下扉の要部斜視図を示す。
【００１１】
本実施の形態において、前述の従来構成と異なる点は、図２に示すように、上扉９と下扉１０を扉閉完了時には録画再生機構部と非接触の状態になるように構成することにより、録画，再生動作時に発生する録画再生機構部７の振動が伝わることを軽減除去することができる。
【００１２】
より詳細には、上扉９は、回転中心軸を持ち定められた所定の位置から可逆的に回転移動可能である回転扉であり、その開閉動作については、バネにより常時開き方向に復帰力を有し、図示しないロックにて閉じた状態を保持しているのだが、開く時は操作者がロックをはずすとバネの復帰力にて開き、閉める時は操作者がロックして閉める構成になっていて、常時、録画再生機構部７と非接触になるように構成されている。
下扉１０の取り付け構造に関して図４を用いて説明する。下扉１０は、コ字状であり、サイド側の面の内側にリブ１０ａと、フロント、リア側の面にスリット１５と、引っ掛け１７を設けている。フレーム１４は、フロント、リア側の面にボス１６を設け、スリット１５を掛合する。フレーム１４に下扉１０を取り付けた後、ガイドプレート１７を被せ、ネジ止めする。コイルスプリング１２を、下扉１０とガイドプレート１７それぞれに設けられた引っ掛け１７に取り付けることで、下扉１０は常に閉じ方向に復帰力を持つようになる。この構成により、下扉１０は、前記回転扉の回転中心軸とは直角方向且つ前記所定の位置に隣接する位置から可逆的に直線移動可能であるスライド扉であり、その開閉動作については、コイルスプリング１２により常時閉じ方向に復帰力を有し、図３に示すように、開く時は録画再生機構部７のスライドシャーシ１１が水平方向に飛び出すことにより、下扉１０のリブ１０ａがスライドシャーシ１１に接触し、押出されて水平方向に移動して開く。閉る時は、録画再生機構部７のスライドシャーシ１１が閉る方向に移動するに従って、下扉１０もコイルスプリング１２の復帰力によって閉るが、図１に示すように、扉閉完了時には、下扉１０はボス１６に接触して閉り状態になり、スライドシャーシ１１はさらに中に入ったところで動作を終了するため、下扉１０のリブ１０ａがスライドシャーシ１１と非接触になるように構成されている。
【００１３】
ゆえに、録画，再生動作時に発生する録画再生機構部７の振動が上扉９と下扉１０へ伝わることを軽減除去できる。
【００１４】
また、上扉９と下扉１０の２分割する位置については、図３に示すように、録画再生機構部７は開いた時に上方向に移動して開口するのだが、録画再生機構部７が上方向に移動した時の開口部の下端より上にすると、スライド扉１０が開口部を塞いでしまい、カセットの抜き差しができなくなるため、カメラ一体型ＶＴＲ１の機能上、不可能であり、開口部の下端より下にする必要がある。しかし下にするにつれて、回転扉９の回転角度が大きくなり、カメラ一体型ＶＴＲ１の構成上、あるいはデザイン上、不利となってしまうため、録画再生機構部７が上方向に移動した時の開口部の下端に合せることがより好ましい。
【実施例２】
【００１５】
図５ないし図６は、それぞれ本発明の実施例２におけるカメラ一体型VTRのカセット扉の開，閉状態における要部正面図を示す。
【００１６】
本実施の形態において、前述の従来構成と異なる点は、図５に示すように、上扉９と下扉１０を扉閉完了時には録画再生機構部と非接触の状態になるように構成することにより、録画，再生動作時に発生する録画再生機構部７の振動が伝わることを軽減除去することができる。
【００１７】
より詳細には、上扉９は、回転中心軸を持ち定められた所定の位置から可逆的に回転移動可能である回転扉であり、その開閉動作については、バネにより常時開き方向に復帰力を有し、図示しないロックにて閉じた状態を保持しているのだが、開く時は操作者がロックをはずすとバネの復帰力にて開き、閉める時は操作者がロックして閉める構成になっていて、常時、録画再生機構部７と非接触になるように構成されている。
【００１８】
下扉１０は、前記回転扉とは異なる回転中心軸を持ち、前記所定の位置に隣接する位置から前記回転扉とは逆方向に可逆的に回転移動可能である回転扉であり、その開閉動作については、バネにより常時閉じ方向に復帰力を有し、図６に示すように、開く時は録画再生機構部７により下扉１０のリブ１０ａが押されて回転して開き、閉る時はバネの復帰力により録画再生機構部７が閉るに従って下扉１０も閉るが、図５に示すように、扉閉完了時には、下扉１０は本体部２にあるボス２ａに接触して閉り状態になり、録画再生機構部７はさらに中に入ったところで動作を終了するため、下扉１０のリブ１０ａが録画再生機構部７と非接触になるように構成されている。
【００１９】
ゆえに、録画，再生動作時に発生する録画再生機構部７の振動が上扉９と下扉１０へ伝わることを軽減除去できる。
【００２０】
また、上扉９と下扉１０の２分割する位置については、下扉１０の形状によっては録画再生機構部７の開口部を塞ぐ可能性もあるが、録画再生機構部７が上方向に移動した時の開口部の上端より上にすると、上扉９を構成することなく、下扉１０の１枚扉構成でカセットの脱着を可能にすることもできる。
【産業上の利用可能性】
【００２１】
本発明にかかるカメラ一体型ＶＴＲは、カセットを水平方向に挿入，配置して録画，再生する機構部を備えたカメラ一体型ＶＴＲにおいて、カセット扉が扉閉完了時には録画再生機構部と非接触の状態になり、録画，再生動作時に発生する録画再生機構部の振動の伝播を軽減除去する構成、機構等として有用である。
【図面の簡単な説明】
【００２２】
【図１】本発明の実施例１におけるカセット扉の閉状態における要部斜視（透視）図
【図２】同カセット扉の閉状態における断面図
【図３】同カセット扉の開状態における断面図
【図４】下扉の要部斜視図
【図５】本発明の実施例２におけるカセット扉の閉状態における正面図
【図６】同カセット扉の開状態における正面図
【図７】従来のカメラ一体型ＶＴＲのカセット扉の開状態における平面図
【符号の説明】
【００２３】
１      カメラ一体型ＶＴＲ
２      本体部
２ａ    ボス
３      カセコン本体
４      可動部
５      カセコン蓋
６      回路基板
７      録画再生機構部
８      光学機構部
９      上扉
１０    下扉
１０ａ  リブ
１１    スライドシャーシ
１２    コイルスプリング
１３    ガイドプレート
１４    フレーム
１５    スリット
１６    ボス
１７    引っ掛け
【図１】
2008004220.tif 000003
【図２】
2008004220.tif 000004
【図３】
2008004220.tif 000005
【図４】
2008004220.tif 000006
【図５】
2008004220.tif 000007
【図６】
2008004220.tif 000008
【図７】
2008004220.tif 000009